(57)【要約】      （修正有）【課題】撒餌の投入が容易であり、吐出口の調節が早く、使用後の洗浄時間が短く、しかも安価な撒餌容器の提供。【解決手段】天井に複数の通水孔７を備え、容器１の上向の投入口３に着脱自在に装着するキャップ２と、下端側室に周方向に長い長方形の吐出口８を備えた容器と、中央貫通孔４を介して貫通保持されたキャップ２と容器の脱落を防ぐ連結環兼係止手段６を両端に備えた支持軸５と、吐出口に摺動自在に係合させるために円筒面より外側に突出させた引手９と吐出口に相対する窓１０と引戸を備え容器の内壁に回動自在に設置される内筒とにより構成された撒餌容器。【選択図】図１
0003105839.tif 000002
【実用新案登録請求の範囲】
【請求項１】
天井に複数の通水孔を備え、容器の上向の投入口に着脱自在に装着するキャップと、下端側壁に周方向に長い長方形の吐出口を備えた容器と、中央貫通孔を介して貫通保持されたキャップと容器の脱落を防ぐ連結環兼係止手段を両端に備えた支持軸と、吐出口に摺動自在に係合させるために円筒面より外側に突出させた引手と吐出口に相対する窓と引戸とを備え容器の内壁に回動自在に配置される内筒とにより構成された撒餌容器。
【請求項２】
内筒に内筒より突出した引手を内筒面まで押下げられる弾性を与えるためのスリットを形成し、引手には引手の両端を吐出口の縁に圧接するための中央スリットを形成した請求項１の撒餌容器。
【請求項３】
底に逆円錐型の錘を備えた容器と、下端の連続環兼係止手段に天秤を備えた支持軸とを有する請求項１の撒餌容器。
【考案の詳細な説明】
【考案の詳細な説明】
【技術分野】
【０００１】この考案は魚釣用の撒餌容器に関する。
【背景技術】
【０００２】沖釣で使われる最も基本的な仕掛に胴突仕掛と天秤仕掛とがある。胴突仕掛は最も簡単な仕掛であって、ハリスを枝のように結んだ幹糸の下端に錘を付けた仕掛である。天秤仕掛は略Ｌ字型の天秤の縦軸の下端に錘を付け横軸の先にハリスを結んだ仕掛である。勿論ハリスの先端には釣針が結ばれている。【０００３】オキアミ等の撒餌で魚を寄せてつる方法では前記仕掛に撒餌の容器を組入れた仕掛となる。撒餌の容器は、胴突仕掛では道糸と幹糸の間に、天秤仕掛では、天秤と錘の間に取付けられる。【０００４】撒餌の容器は撒餌の種類により異なった機能を備えている。オキアミ等を撒餌とする容器では、オキアミを容器内に納めて目的の深さまで沈め放出できる機能を備えている。この容器には天井部にオキアミより小さな通水孔が複数あり海水だけが出入するようになっている。容器が沈下する時は容器の下端に備えられた撒餌の吐出口等から海水が入り、海水は上向の水流となってオキアミを上方に押し上げるが、通水孔から海水が入り容器内に下向の水流ができる。オキアミはこの水流に乗って吐出口より放出される。同じ位置で上下運動を繰り返すことにより同じ位置での放出を続けることができる。ところが波も同様の働があるので釣人の意志とは関係なく撒餌の放出がされる。そこで波の高さに応じて吐出口の大きさを変え撒餌の放出量を調節できる容器が開発されている。こうした機能を備えた容器としては釣具店でよく見かけるサニーカゴや特開２００３−１４４０２６等がある。これ等容器は底付の内筒に天井付の外筒を回転自在に重ねた二重容器となっている。容器の側面には撒餌の大きな投入口が有り、外筒を廻して投入口の開閉ができるようになっている。吐出口は容器の下端にあるがその調節は容器の上端にあるネジで行われる構成となっている。
【考案の開示】
【考案が解決しようとする課題】
【０００５】前記二重構造の容器では二重壁となる部分の面積が大きくその間にオキアミ等が挟まる率が高く使用後の洗浄に時間がかかる。容器に残されたオキアミは小片であっても長時間強い悪臭を発するので洗浄しやすい撒餌容器の提供を課題とした。【０００６】前記従来技術では撒餌の投入口が側壁にあるため投入が困難であったので、撒餌を投入しやすい撒餌容器の提供も課題とした。【０００７】前記従来技術では、吐出口の大きさを調節する手段がネジであり調節に時間がかかるので、より早く調節するための手段を備えた容器の提供も課題とした。【０００８】前記従来技術の吐出口の調節手段と投入口の開閉手段は構造も複雑で部品点数も多く製造コストが高いので、構造が簡単で部品点数も少なく安価な撒餌容器の提供も課題とした。
【課題を解決するための手段】
【０００９】この考案は前記課題を解決するため、天井に複数の通水孔を備え、容器の上向の投入口に着脱自在に装着するキャップと、下端側壁に周方向に長い長方形の吐出口を備えた容器と、中央貫通孔を介して貫通保持されたキャップと容器の脱落を防ぐ連結環兼係止手段を両端に備えた支持軸と、内筒面より外側に突出した引手と吐出口に相対する窓と引戸とを備え容器の内壁に回転自在に設置される内筒とにより構成された撒餌容器。
【考案の効果】
【００１０】二重構造となる内筒の目的を吐出口の調節手段のみに限定したので容器の二重構造部分が大巾に減少し使用後の洗浄が容易になった。又、投入口を上向に設けたので容器を吊り下げたまま撒餌の投入ができるようになった。又、吐出口の大きさの調節をする手段を引手による引戸の開閉構造としたので調節時間が大幅に減少された。又、吐出口の大きさの調節をするために設けられた内筒を回動する手段に、引手と吐出口を活用したので製造コストの大巾な削減が出来た等の効果である。
【考案の実施形態】
【００１１】以下考案の実施形態を図面に基づいて説明する。図１はこの考案の一実施例を示す斜視図であり容器１よりキャップ２を外し投入口を開けた状態を示している。容器１の上端の開口部が上向の投入口であり此処より撒餌が投入される。キャップは容器に対し着脱自在であるが、キャップと容器はそれぞれに設けられている貫通孔４を介して支持軸５に取付けられているので容器から脱落することはない。支持軸の両端にある環は連結環兼係止手段６であるが、上端の環は被支持物を取付け終った後に形成される。キャップ２の天井部には複数の通水孔７が有る通水孔は海水を出入れさせるための孔であって容器が沈下する時は下方から入って来る海水の排出孔の役目をする。この孔はオキアミより小さいのでオキアミは海水と共に放出されることはない。容器の下端には周方向に長い吐出口８が形成されている。容器を目的の水深まで沈めた後道糸を介して容器をしゃくり上げると海水が通水孔より容器内に入り下方向の水流が生じ容器内の撒餌は海水と共に吐出口より放出される。吐出口より突出ているのは引手９であって、吐出口に沿って摺動出来るようになっている。引戸１０は引手に連動して動き吐出口の大きさを変えることが出来るようになっている。容器１とキャップ２は透明度の高いプラスチック材で射出成型され、容器内の撒餌の量や使用後の洗浄作業において、洗い残しがあっても見易いようになっている。引手や引戸は有色不透明のプラスチック材で作られている。容器の底には錘１１がビス等で固定されており更にその下には支持軸の下端の連結環兼係止手段に、連結環１３を介して天秤１２が取付けられている。錘の重量交換の激しい釣では、錘と天秤を除いたものが使用される。
【００１２】図２は吐出口の内側に取付けられる内筒１４の斜視図である。円筒形の内筒には引手９と引戸１０と窓１５がそれぞれ２個ずつ形成されている。円筒は、２個の引手を容器に形成されている２個の吐出口のそれぞれに係合させて容器に回動自在に装着される。符号１６は内筒に形成されているスリッドであって、引手に弾性を与え内筒より突出した引手を押し上げて内筒を容器に挿入し、押し下げられた突起は吐出口で復帰して吐出口に係合する。引手を２分するように設けられた中央スリッド１７は引手の両端を吐出口の縁に圧接する弾性を与え内筒の回動を適宜に制御する働をする。
【００１３】図３は内筒１４の別の実施例であって図２の実施例との違いは、別の実施例には窓枠が全周にあるのに対し図２では下辺の枠が欠けている。
【００１４】図４は容器の下部を示す部分正面図である。錘１１は逆円錐台形であり下面が平らであることを示している。容器が沈下する時は天秤は天秤の先に結ばれたハリスの抵抗を受けて上方に引き上げられるが錘の平らな下面にはばまれて支持軸に対しＬ字状を保つ。天秤の一方の連結環を着脱できるようにすれば天秤を省いた本考案として別の天秤との組合せが可能になり選択肢が増す。
【００１５】図５は容器１と内筒１４との係合状態を示す。Ａ−Ａ断面図である。内筒には引手９、と引戸１０、と窓１５がそれぞれ２個ずつ形成されており、２個の引手は容器に形成されている２個の吐出口８にそれぞれ係合している。内筒は不透明のプラスチックで射出成形される。
【００１６】次に実施例の使い方について説明する。実施例では撒餌容器に錘と天秤を装着したものが示されているが、この実施例から錘や天秤を省いた実施例についても説明する。錘・天秤付撒餌容器の場合は支持軸の上端に道糸を結び天秤の端にハリスを結べば準備は完了する。図１の実施例から天秤のみを省いたものでは道糸の下に別のＬ型天秤等を結び天秤の縦軸の下にこの実施例を付け横軸の先にハリスを結ぶことになる。この仕掛は前記より準備時間が長く携帯性も悪いが異なった天秤が使える利点がある。図１の実施例から錘と天秤を省いたものでは別のＬ型天秤を道糸の下に結び天秤の縦軸の下にこの実施例を付け、更にその下に錘を付けＬ型天秤の横軸の先にハリスを結ぶことになる。この仕掛では更に準備時間が長くなり携帯性も悪くなるが別の天秤と錘が使える利点がある。前記三種類の実施性にはそれぞれ一長一短があるので釣人の好みや事情に合せ選べばよい。吐出口の大きさは対象魚や波の状態により調節されるが最初は適当に空けておきその結果を見て調節する。撒餌の投入は仕掛を吊るしたままキャップを外し上向の投入口より行いキャップを嵌めて仕掛を海中に投じる。仕掛が沈下している間は海水は吐出口や別の通水孔から入り容器の天井から通水孔を介して抜ける撒餌は上向の水流により上方に押し上げられるが容器の外に放出されない。仕掛の沈下を止め、釣竿を介して仕掛をしゃくり上げると天井の通水孔から海水が入り撒餌は海水と共に容器の下端にある吐出口より放出される。１回の上下運動で放出される撒餌の量は上下運動の強さと吐出口の大きさに比例する。使用後は真水で十分洗い残しのないことを確かめて収納する。
【考案の効果】
【００１７】容器の側面に設けられた撒餌の投入口と違い、本考案では投入口を上向に設けたので容器を吊り下げたまま撒餌の投入が可能になった。
【００１８】吐出口の大きさを調節するためにネジを廻す方法と違い本考案では引手を引くだけでよく調節時間が大幅に短縮された。
【００１９】撒餌の大きな投入口を容器の側面に設けその投入口の開閉手段として二重構造としたものと違い本考案では二重壁となる部分を小さな吐出口部分に限定したので二重壁部分が大巾に減少し使用後の洗浄が容易になった。
【００２０】支持軸にキャップ付容器を取り付け、吐出口に引手を係合させて円筒状の引手を内設した単純構造にしたので部品点数も少なく製造コストの削減が出来た。
【００２１】容器に錘と天秤をつけた本考案は前記効果の外にコンパクトで携帯性が良く釣り場での準備期間を短縮することが出来る。
【図面の簡単な説明】
【００２２】
【図１】本考案の実施例を示す斜視図である。
【図２】本考案の内設部品の実施例を示す斜視図である。
【図３】本考案の内設部品の別の実施例を示す斜視図である。
【図４】本考案の実施例の一部正面図である。
【図５】本考案の実施例のＡ−Ａ断面図である。
【符号の説明】
１  容器                ７  通水孔            １３連結環
２  キャップ            ８  吐出口            １４内筒
３  投入口              ９  引手              １５窓
４  中央貫通孔          １０引戸              １６スリット
５  支持軸              １１錘                １７中央スリット
６  連結環兼係止手段    １２天秤
【図１】
0003105839.tif 000003
【図２】
0003105839.tif 000004
【図３】
0003105839.tif 000005
【図４】
0003105839.tif 000006
【図５】
0003105839.tif 000007